(57)【要約】【課題】操作ユニット１を、固定ブラケット４と、ストッパ３を備えたアジャストブラケット２により固定する位置合わせ構造において、当該位置合わせを容易とし、顧客の操作ユニット１への押圧力によりストッパ３の位置がずれないようにする。【解決手段】アジャストブラケット２に斜めの角孔６を設け、当該角孔６に沿って固定ネジ５の留め位置を調整して固定できるようにした。或いは、階段形状の角孔１６を設け、当該角孔１６に沿って固定ネジ５の留め位置を調整して固定できるようにした。【選択図】図１
2011070240.tif 000002
【特許請求の範囲】
【請求項１】
固定ブラケットとストッパを備えたアジャストブラケットにより操作ユニットを固定する位置合わせ構造において、
前記アジャストブラケットに斜めの角孔を設け、当該角孔に沿って固定ネジの留め位置を調整して固定できるようにしたことを特徴とする操作ユニットの位置合わせ構造。
【請求項２】
前記斜めの角孔は、階段形状の角孔であって、当該角孔に沿って固定ネジの留め位置を調整して固定できるようにしたことを特徴とする請求項１記載の操作ユニットの位置合わせ構造。
【請求項３】
前記斜めの角孔は、階段形状の角孔であって、前記固定ブラケットに打出しを設け、前記打出しを前記角孔に沿って位置調整し、固定ネジにて固定できるようにしたことを特徴とする請求項１記載の操作ユニットの位置合わせ構造。
【発明の詳細な説明】
【技術分野】
【０００１】
本発明は、現金自動預払機（以下、「ＡＴＭ」という）等の自動取引装置における操作ユニットの位置合わせ構造に関するものである。
【背景技術】
【０００２】
ＡＴＭにおける顧客操作用の操作ユニットは、表示ユニットとタッチパネルからなり、当該タッチパネルの検出精度をよくするためにはタッチパネルと表示ユニットを隙間なく配置し、フロントカバーと干渉することなく装置本体に位置調整して固定する必要がある。この位置調整に関する構造が提案されている（例えば、特許文献１参照）。
【０００３】
また、顧客によるタッチパネル押下時の反力を得るために、さらに、操作ユニットの裏側をストッパにより押圧しておくことが好ましい。
【０００４】
従来、この位置合わせ構造は図４に示すような構成であった。すなわち、矢印Ａ方向からの顧客の押圧に対する反力を得るために、操作ユニット１０１の裏側に、アジャストブラケット１０２およびこれに取り付けられたストッパ１０３ａ、１０３ｂが配置されている。
【０００５】
そして、アジャストブラケット１０２は、角孔１０６ａ、１０６ｂに取り付けられた固定ネジ１０５ａ、１０５ｂにて固定ブラケット１０４に固定できる構成となっている。
【０００６】
そして、操作ユニット１０１とストッパ１０３ａ、１０３ｂとの位置を合わせるために、アジャストブラケット２に設けられた角孔１０６ａ、１０６ｂに沿って矢印Ｂ方向に固定ネジ１０５ａ、１０５ｂの留め位置を調整し固定ブラケット１０４に固定していた。
【先行技術文献】
【特許文献】
【０００７】
【特許文献１】特開平７−２３０５６７号公報
【発明の概要】
【発明が解決しようとする課題】
【０００８】
しかしながら、上記従来の操作ユニットの位置合わせ構造では、顧客の押圧力に対する保持力は、アジャストブラケット１０２の位置決めを行う固定ネジ１０５による固定ブラケット１０４との締め付け力による保持力のみであるため、この締め付け力以上の外力が操作ユニット１０１に作用すると、操作ユニット１０１とストッパ１０３との位置合わせがずれてしまうという問題点があった。
【課題を解決するための手段】
【０００９】
本発明は、前述の課題を解決するため次の構成を採用する。すなわち、固定ブラケットとストッパを備えたアジャストブラケットにより操作ユニットを固定する位置合わせ構造において、前記アジャストブラケットに斜めの角孔を設け、当該角孔に沿って固定ネジの留め位置を調整して固定できるようにした。
【発明の効果】
【００１０】
本発明の操作ユニットの位置合わせ構造によれば、固定ブラケットとストッパを備えたアジャストブラケットにより操作ユニットを固定する位置合わせ構造において、前記アジャストブラケットに斜めの角孔を設け、当該角孔に沿って固定ネジの留め位置を調整して固定できるようにしたので、固定ネジの締め付けによって固定すべき力が少なくてすみ、位置合わせを保持する耐力を大きくすることができる。
【図面の簡単な説明】
【００１１】
【図１】実施例１の操作ユニット位置合わせ構造の構成図である。
【図２】実施例２の操作ユニット位置合わせ構造の構成図である。
【図３】実施例３の操作ユニット位置合わせ構造の構成図である。
【図４】従来の操作ユニット位置合わせ構造の構成図である。
【発明を実施するための形態】
【００１２】
以下、本発明に係わる実施の形態例を、図面を用いて説明する。図面に共通する要素には同一の符号を付す。
【実施例１】
【００１３】
（構成）
図１は、実施例１の操作ユニットの位置合わせ構造の構成を示す図であり、図１（ａ）は実施例１の操作ユニットの位置合わせ構造の上面図を示し、（ｂ）は側面図を示している。
【００１４】
同図に示したように、実施例１の操作ユニットの位置合わせ構造は、矢印Ａ方向からの顧客の押圧に対する反力を得るために、操作ユニット１の裏側に、アジャストブラケット２およびこれに取り付けられたストッパ３ａ、３ｂが配置されている。
【００１５】
そして、アジャストブラケット２には、斜めに設けられた角孔６ａ、６ｂが設けられ、当該角孔６ａ、６ｂに取り付けられた固定ネジ５ａ、５ｂにて固定ブラケット４に固定できる構成となっている。
【００１６】
（作用）
以上の構成による実施例１の操作ユニットの位置合わせ構造は以下のように作用する。この作用を、図１を用いて説明する。
【００１７】
実施例１の操作ユニットの位置合わせ構造では、アジャストブラケット２に取り付けられたストッパ３を操作ユニット１と若干隙間を設けて固定ネジ５にて仮止めして組み立てを行った後、アジャストブラケット２に設けられた斜めの角孔６に沿わせて固定ネジ５の留め位置を矢印Ｃ方向に調整してストッパ３を操作ユニット１に突き当て、固定ネジ５を締めて固定される。
【００１８】
すると、図１（ｃ）に示したように、矢印Ａのような顧客の押圧力Ｆにより固定ネジ５ａ、５ｂにはそれぞれＦａ、Ｆｂの力が発生するが、角孔６が斜めになっているので、それぞれさらに面と並行の力と面に垂直の力、すなわちＦｘａとＦｙａ、ＦｘｂとＦｙｂに分散し、固定ネジ５ａ、５ｂと角孔６との当接によりＦｙａ、Ｆｙｂの垂直抗力は打ち消され、Ｆｘａ、Ｆｘｂのみを固定ネジ５により保持するだけでよいので、従来の操作ユニットの位置合わせ構造に比し、固定ネジ５による固定位置を保持する耐力が大きくなる。
【００１９】
（実施例１の効果）
以上詳細に述べたように実施例１の操作ユニットの位置合わせ構造によれば、固定ブラケットとストッパを備えたアジャストブラケットにより操作ユニットを固定する位置合わせ構造において、前記アジャストブラケットに斜めの角孔を設け、当該角孔に沿って固定ネジの留め位置を調整して固定できるようにしたので、固定ネジの締め付けによって固定すべき力が少なくてすみ、位置合わせを保持する耐力を大きくすることができる。
【実施例２】
【００２０】
（構成）
図２は、実施例２の操作ユニットの位置合わせ構造の構成を示す図である。なお、実施例２の操作ユニットの位置合わせ構造の側面図は、実施例１にて用いた図１（ｂ）と同様であるので、簡略化のためにその説明を省略している。
【００２１】
同図に示したように、実施例２の操作ユニットの位置合わせ構造は、矢印Ａ方向からの顧客の押圧に対する反力を得るために、操作ユニット１の裏側に、アジャストブラケット２およびこれに取り付けられたストッパ３ａ、３ｂが配置されている。
【００２２】
そして、アジャストブラケット２には、階段形状の角孔１６ａ、１６ｂが設けられ、当該角孔１６ａ、１６ｂに取り付けられた固定ネジ５ａ、５ｂにて固定ブラケット４に固定できる構成となっている。
【００２３】
（作用）
以上の構成による実施例２の操作ユニットの位置合わせ構造は以下のように作用する。以下、図２を用いて説明する。
【００２４】
実施例２の操作ユニットの位置合わせ構造では、アジャストブラケット２に取り付けられたストッパ３を操作ユニット１と若干隙間を設けて固定ネジ５にて仮止めして組み立てを行った後、アジャストブラケット２に設けられた階段形状の角孔１６に沿わせて固定ネジ５の留め位置を矢印Ｄ方向に調整してストッパ３を操作ユニット１に突き当て、固定ネジ５を締めて固定される。
【００２５】
すると、矢印Ａのような顧客の押圧力Ｆにより固定ネジ５ａ、５ｂにはそれぞれＦａ、Ｆｂの力が発生するが、角孔６が階段形状になっているので、外力Ｆａ、Ｆｂは角孔１６の階段上になった面に垂直に作用するために固定ネジ５自体が停止部材として働き、固定ネジ５にて固定した位置を確実に保持することができる。
【００２６】
なお、階段形状は、固定ネジの大きさに合わせるのがよく、固定ネジのネジ部の径が１つの段差の長さ程度となるようにするのがよい。
【００２７】
（実施例２の効果）
以上詳細に述べたように実施例２の操作ユニットの位置合わせ構造によれば、アジャストブラケットに階段形状の角孔を設け、当該角孔に沿って固定ネジの留め位置を調整し固定できるようにしたので、さらに位置合わせを保持する耐力を大きくすることができる。
【実施例３】
【００２８】
（構成）
図３は、実施例３の操作ユニットの位置合わせ構造の構成を示す図である。なお、実施例３の操作ユニットの位置合わせ構造の側面図は、実施例１にて用いた図１（ｂ）と同様であるので、簡略化のためにその説明を省略している。
【００２９】
同図に示したように、実施例３の操作ユニットの位置合わせ構造は、矢印Ａ方向からの顧客の押圧に対する反力を得るために、操作ユニット１の裏側に、アジャストブラケット２およびこれに取り付けられたストッパ３ａ、３ｂが配置されている。
【００３０】
そして、アジャストブラケット２には、階段形状の角孔１６ａ〜１６ｃが設けられ、固定ブラケット４には打出し７ａ、７ｂが角孔１６ａ、１６ｂの位置に設けられている。また、アジャストブラケット２の角孔１６ｃに取り付けられた固定ネジ５ｃにて固定ブラケット４に固定できる構成となっている。
【００３１】
（作用）
以上の構成による実施例３の操作ユニットの位置合わせ構造は以下のように作用する。以下、図３を用いて説明する。
【００３２】
実施例３の操作ユニットの位置合わせ構造では、アジャストブラケット２に取り付けられたストッパ３ａ、３ｂを操作ユニット１と若干隙間を設けて固定ネジ５ｃにて仮止めして組み立てを行った後、打出し７ａ、７ｂをアジャストブラケット２に設けられた階段形状の角孔１６ａ、１６ｂに沿わせて矢印Ｄ方向に移動させ、ストッパ３を操作ユニット１に突き当て、固定ネジ５ｃを締めて固定される。
【００３３】
すると、矢印Ａのような顧客の押圧力Ｆにより打出し７ａ、７ｂにはそれぞれＦａ、Ｆｂの力が発生するが、角孔６が階段形状になっているので、外力Ｆａ、Ｆｂは角孔１６の階段上になった面に垂直に作用するために打出し７ａ、７ｂが停止部材として働き、固定ネジ５には外力がかかることなく固定できる。なお、階段形状は、打出しの径が１つの段差の長さ程度となるようにするのがよい。
【００３４】
以上の説明では、打出しを２個設け、固定ネジを１個とするように説明したが、打出しをさらに多くしてもよいし、固定ネジをさらに多くしてもよい。
【００３５】
（実施例３の効果）
以上詳細に述べたように実施例３の操作ユニットの位置合わせ構造によれば、アジャストブラケットに階段形状の角孔を設け、固定ブラケットに打出しを設け、前記打出しを前記角孔に沿って位置調整し固定ネジにて固定できるようにしたので、固定ネジにかかる力を少なくすることができ、固定ネジの破損をも防止することができる。
【産業上の利用可能性】
【００３６】
以上述べたように、本発明は、操作ユニットの位置合わせを要する現金自動預払機等の自動取引装置に広く用いることができる。
【符号の説明】
【００３７】
１  操作ユニット
２  アジャストブラケット
３、３ａ、３ｂ  ストッパ
４  固定ブラケット
５、５ａ〜５ｃ  固定ネジ
６、６ａ、６ｂ、１６、１６ａ〜１６ｃ  角孔
７、７ａ、７ｂ  打出し
【図１】
2011070240.tif 000003
【図２】
2011070240.tif 000004
【図３】
2011070240.tif 000005
【図４】
2011070240.tif 000006